(57)【要約】【課題】摺動する移動体の摺動方向からしか操作できない場合であっても、球体を介して摺動する移動体の側面から拘束する力を与えることができる固定装置を提供する。【解決手段】固定装置は、所定のあり溝を形成してなる固定体と、前記あり溝に係合して摺動する摺動部を備えた移動体と、前記あり溝の方向と平行な方向であって前記あり溝から外れた位置に設けたネジ穴と、前記ネジ穴と直交する方向であって前記ネジ穴が挿通し、且つ前記あり溝にまで貫通して形成されたガイド穴と、を有し、前記ガイド穴にガイド部材を嵌合させ、前記ネジ穴にネジを螺合させて、ネジ先端で前記ガイド部材をあり溝方向に押し付けて、前記あり溝に係合している移動体の摺動部の一部側面に当接させることにより、当接された反対側の摺動部の一部側面とあり溝の一部側面が互いに押し付けられ、且つ前記摺動部の底面とあり溝の底面が互いに押し付けられて前記移動体を固定することである。【選択図】  図１
2008173691.tif 000002
【特許請求の範囲】
【請求項１】
所定のあり溝を形成してなる固定体と、
前記あり溝に係合して摺動する摺動部を備えた移動体と、
前記あり溝の方向と平行な方向であって前記あり溝から外れた位置に設けたネジ穴と、
前記ネジ穴と直交する方向であって前記ネジ穴が挿通し、且つ前記あり溝にまで貫通して形成されたガイド穴と、を有し、
前記ガイド穴にガイド部材を嵌合させ、前記ネジ穴にネジを螺合させて、ネジ先端で前記ガイド部材をあり溝方向に押し付けて、前記あり溝に係合している移動体の摺動部の一部側面に当接させることにより、当接された反対側の摺動部の一部側面とあり溝の一部側面が互いに押し付けられ、且つ前記摺動部の底面とあり溝の底面が互いに押し付けられて前記移動体を固定することを特徴とする固定装置。
【請求項２】
前記ガイド部材は球状に形成された球体であることを特徴とする請求項１に記載の固定装置。
【請求項３】
前記ネジ先端は三角錐形状に形成されていることを特徴とする請求項１に記載の固定装置。
【請求項４】
所定のあり溝を形成してなる固定体と、
前記あり溝に係合して摺動する摺動部を備えた移動体と、
前記あり溝の方向と直交する方向であって前記あり溝から外れた位置に設けたネジ穴と、
前記ネジ穴と直交する方向であって前記ネジ穴が挿通し、且つ前記あり溝にまで貫通して形成されたガイド穴と、を有し、
前記ガイド穴にガイド部材を嵌合させ、前記ネジ穴にネジを螺合させて、ネジ先端で前記ガイド部材をあり溝方向に押し付けて、前記あり溝に係合している移動体の摺動部の一部側面に当接させることにより、当接された反対側の摺動部の一部側面とあり溝の一部側面が互いに押し付けられ、且つ前記摺動部の底面とあり溝の底面が互いに押し付けられて前記移動体を固定することを特徴とする固定装置。
【請求項５】
前記ガイド部材は球状に形成された球体であることを特徴とする請求項４に記載の固定装置。
【請求項６】
前記ネジ先端は三角錐形状に形成されていることを特徴とする請求項４に記載の固定装置。
【発明の詳細な説明】
【技術分野】
【０００１】
本発明は、固定装置に関し、詳しくは、あり溝等の摺動機構を有する機械部品の相互間の固定に関する。
【背景技術】
【０００２】
従来の技術の固定装置は、図９に示すように、あり溝１１を有し固定された固定体１２と、あり溝１１に係合するためのあり溝１１の形状に合わせた摺動部１３を備えた移動体１４と、固定体１２に設けたあり溝１１方向に対して直交する方向からネジ１６を螺合させ、あり溝１１に到達するまで穿設したネジ穴１５と、ネジ穴１５に螺合させ、先端を移動体１４の摺動部１３に当接させるネジ１６とを有する。
このような構成の固定装置において、固定体１２に移動体１４を固定する際には、ネジ１６を締め付けることで移動体１４の摺動部１３の一部側面２９をネジ先端頭で押し付けることで、押し付けられた反対側の移動体１４の摺動部１３の側面２７が固定体１２のあり溝１１の側面２８に押し付けられ、且つ摺動部１３の底面３１があり溝１１の底面３２に押し付けられるという横方向と下方向の２方向に押付け力が働いて、移動体１４が固定体１２に固定される。
この固定を解除するには、ネジ１６を緩めることで、側面２７、２８同士及び底面３１、３２同士の押し付けが解除され、移動体１３が摺動可能な状態となる。
【特許文献１】特開２００３−１０３４０８号公報（第３頁乃至４頁  第３図）
【発明の開示】
【発明が解決しようとする課題】
【０００３】
しかしながら、従来技術で説明した図９に示すあり溝機構で、ネジ側の側面に他の部品があるとネジを締めたり緩めたり出来ず２つの移動体と固定体との移動・固定を行うことが出来ない。
特に摺動する方向と同一の方向からしか操作出来ない場合には強い力を加えることができないという問題がある。
【０００４】
従って、あり溝等の摺動機構を有する移動体及び固定体において、押付け力と同一方向から固定・解除の操作ができない場合に、ガイド部材を介在させて摺動する方向或いは直交する方向から固定と解除の操作をすることにより、簡単で確実な固定と解除の手段を提供することに解決しなければならない課題を有する。
【課題を解決するための手段】
【０００５】
上記課題を解決するために、本願発明の固定装置は、次に示す構成にしたことである。
【０００６】
（１）固定装置は、所定のあり溝を形成してなる固定体と、前記あり溝に係合して摺動する摺動部を備えた移動体と、前記あり溝の方向と平行な方向であって前記あり溝から外れた位置に設けたネジ穴と、前記ネジ穴と直交する方向であって前記ネジ穴が挿通し、且つ前記あり溝にまで貫通して形成されたガイド穴と、を有し、前記ガイド穴にガイド部材を嵌合させ、前記ネジ穴にネジを螺合させて、ネジ先端で前記ガイド部材をあり溝方向に押し付けて、前記あり溝に係合している移動体の摺動部の一部側面に当接させることにより、当接された反対側の摺動部の一部側面とあり溝の一部側面が互いに押し付けられ、且つ前記摺動部の底面とあり溝の底面が互いに押し付けられて前記移動体を固定することである。
（２）前記ガイド部材は球状に形成された球体であることを特徴とする（１）に記載の固定装置。
（３）前記ネジ先端は三角錐形状に形成されていることを特徴とする（１）に記載の固定装置。
【０００７】
（４）固定装置は、所定のあり溝を形成してなる固定体と、前記あり溝に係合して摺動する摺動部を備えた移動体と、前記あり溝の方向と直交する方向であって前記あり溝から外れた位置に設けたネジ穴と、前記ネジ穴と直交する方向であって前記ネジ穴が挿通し、且つ前記あり溝にまで貫通して形成されたガイド穴と、を有し、前記ガイド穴にガイド部材を嵌合させ、前記ネジ穴にネジを螺合させて、ネジ先端で前記ガイド部材をあり溝方向に押し付けて、前記あり溝に係合している移動体の摺動部の一部側面に当接させることにより、当接された反対側の摺動部の一部側面とあり溝の一部側面が互いに押し付けられ、且つ前記摺動部の底面とあり溝の底面が互いに押し付けられて前記移動体を固定することである。
（５）前記ガイド部材は球状に形成された球体であることを特徴とする（４）に記載の固定装置。
（６）前記ネジ先端は三角錐形状に形成されていることを特徴とする（４）に記載の固定装置。
【発明の効果】
【０００８】
本発明においては、摺動する移動体の摺動方向からしか操作できない場合であっても、ガイド部材（球状の部品）を介して摺動する移動体の側面から拘束する力を与えることができる。
【発明を実施するための最良の形態】
【０００９】
次に、本願発明に係る固定装置の実施例について図面を参照して説明する。尚、従来技術で説明したものと同じものには同一符号を付与して説明する。
【００１０】
本願発明の第１実施例の固定装置は、図１〜図４に示すように、あり溝１１を有し固定された固定体１２と、あり溝１１に係合するためのあり溝１１の形状に合わせた摺動部１３を備えた移動体１４と、あり溝１１の方向と平行な方向であってあり溝１１から外れた位置に設けたネジ穴２１と、ネジ穴２１と直交する方向であってネジ穴２１が挿通し、且つあり溝１１にまで貫通したガイド穴２２と、を備えた構成になっている。
【００１１】
そして、ガイド穴２２にはガイド部材、実施例においては球状の球体２３が収容されており、あり溝１１に貫通した部位の穴の径は球体２３の一部があり溝１１に出没できる程度の径に形成されている。
【００１２】
ガイド穴２２に球体２３を収容し、蓋２４をすることで、球体２３は、ガイド穴２２内部において摺動自在に移動できる状態で配置される。
【００１３】
そして、ネジ穴２１には、三角錐形状に形成したネジ先端２６を備えたネジ２５を螺合させる。螺合させたネジ２５の先端がネジ穴２１を通過してガイド穴２２にまで到達すると、そのネジ２５の三角錐形状に形成したネジ先端２６の側面（傾斜面）で球体２３をあり溝１１方向に押し付けることができる。
【００１４】
このようにして、ガイド穴２２に球体２３を収容し、ネジ穴２１にネジ２５を螺合させることにより、球体２３はガイド穴２２内部において、ネジ２５の三角錐形状のネジ先端２６の傾斜面でガイドされることになる。
また、ネジ先端２６を三角錐形状にすることによって、緩めた状態で、球体２３がガイド穴２２のどこにあっても、再びネジ２５を締めることで球体２３を固定に必要な位置に移動させることができる。
【００１５】
即ち、移動体１４を固定する場合には、図１及び図２に示すように、ガイド穴２２に収容されている球体２３に対して、直交方向、あり溝１１と平行な方向に設けたネジ穴２１に螺合されているネジ２５を締め付けると、ネジ２５の三角錐形状の先端がガイド穴２２に到達したときに、ネジ先端２６の傾斜面で球体２３をあり溝１１方向に押し付けることにより、球体２３があり溝１１方向に移動して、あり溝１１に収容されている摺動部１３の一部側面２９を直接押付ける。
そうすると、摺動部１３の一部側面２９を押付けた押付け力は、摺動部１３の一部側面２９の反対側の一部側面２７があり溝１１の一部側面２８を押し付け、且つ摺動部１３の底面３１があり溝１１の底面３２に押付けるという横方向と下方向の２方向に押付け力が働いて摺動部１３があり溝１１に固定される。
【００１６】
移動体１４が固定体１２に固定されている状態から解除する場合には、図３及び図４に示すように、ネジ２５を緩めることにより、ネジ２５のネジ先端２６の傾斜面で押し付けている球体２３を解除することにより、摺動部１３の一部側面２９を当接している球体２３が解除され、あり溝１１の面２８と摺動部１３の面２７との押し付けが解除され、且つ底面３１、３２同士の押し付けが解除され、移動体１４は動ける状態になる。
【００１７】
次に、本願発明の第２実施例の固定装置について、図５〜図８を参照して説明する。
【００１８】
本願発明の第２実施例の固定装置は、図５〜図８に示すように、あり溝１１を有し固定された固定体１２と、あり溝１１に係合するためのあり溝１１の形状に合わせた摺動部１３を備えた移動体１４と、あり溝１１の方向と直交する方向であってあり溝１１から外れた位置に設けたネジ穴２１Ａと、ネジ穴２１Ａと直交する方向であってネジ穴２１Ａが挿通し、且つあり溝１１にまで貫通したガイド穴２２と、を備えた構成になっている。
【００１９】
そして、ガイド穴２２にはガイド部材、実施例においては球状の球体２３が収容されており、あり溝１１に貫通した部位の穴の径は球体２３の一部があり溝１１に出没できる程度の径に形成されている。
【００２０】
ガイド穴２２に球体２３を収容し、蓋２４をすることで、球体２３は、ガイド穴２２内部において摺動自在に移動できる状態で配置される。
【００２１】
そして、ネジ穴２１Ａには、三角錐形状に形成したネジ先端２６を備えたネジ２５Ａを螺合させる。螺合させたネジ２５Ａの先端がネジ穴２１Ａを通過してガイド穴２２にまで到達すると、そのネジ２５Ａの三角錐形状に形成したネジ先端２６の側面で球体２３をあり溝１１方向に押し付けることができる。
【００２２】
このようにして、ガイド穴２２に球体２３を収容し、ネジ穴２１Ａにネジ２５Ａを螺合させることにより、球体２３はガイド穴２２内部において、ネジ２５Ａの三角錐形状のネジ先端２６の傾斜面でガイドされることになる。
また、ネジ先端２６を三角錐形状にすることによって、緩めた状態で、球体２３がガイド穴２２のどこにあっても、再びネジ２５Ａを締めることで球体２３を固定に必要な位置に移動させることができる。
【００２３】
即ち、移動体１４を固定する場合には、図５及び図６に示すように、ガイド穴２２に収容されている球体２３に対して、直交方向、あり溝１１と直交な方向に設けたネジ穴２１Ａに螺合されているネジ２５Ａを締め付けると、ネジ２５Ａの三角錐形状の先端がガイド穴２２に到達したときに、ネジ先端２６の傾斜面で球体２３をあり溝１１方向に押し付けることにより、球体２３があり溝１１方向に移動して、あり溝１１に収容されている摺動部１３の一部側面２９を直接押付ける。
そうすると、摺動部１３の一部側面２９を押付けた押付け力は、摺動部１３の一部側面２９の反対側の一部側面２７があり溝１１の一部側面２８を押し付け、且つ摺動部１３の底面３１があり溝１１の底面３２に押付けるという横方向と下方向の２方向に押付け力が働いて摺動部１３があり溝１１に固定される。
【００２４】
移動体１４が固定体１２に固定されている状態から解除する場合には、図７及び図８に示すように、ネジ２５Ａを緩めることにより、ネジ２５Ａのネジ先端２６の傾斜面で押し付けている球体２３を解除することにより、摺動部１３の一部側面２９を当接している球体２３が解除され、あり溝１１の面２８と摺動部１３の面２７との押し付けが解除され、且つ底面３１、３２同士の押し付けが解除され、移動体１４は動ける状態になる。
【産業上の利用可能性】
【００２５】
摺動する移動体の摺動方向からしか操作できない場合であっても、球体を介して摺動する移動体の側面から拘束する力を与えることができる固定装置を提供する。
【図面の簡単な説明】
【００２６】
【図１】本願発明の第１実施例の固定体と移動体が相互に固定された状態を平面からみた説明図である。
【図２】同、本願発明の固定体と移動体が相互に固定された状態を側面からみた説明図である。
【図３】同、本願発明の固定体と移動体が解除された状態を平面からみた説明図である。
【図４】同、本願発明の固定体と移動体が解除された状態を側面からみた説明図である。
【図５】本願発明の第２実施例の固定体と移動体が相互に固定された状態を平面からみた説明図である。
【図６】同、本願発明の固定体と移動体が相互に固定された状態を側面からみた説明図である。
【図７】同、本願発明の固定体と移動体が解除された状態を平面からみた説明図である。
【図８】同、本願発明の固定体と移動体が解除された状態を側面からみた説明図である。
【図９】従来技術における固定体と移動体が相互に固定された状態を平面からみた説明図である。
【符号の説明】
【００２７】
１１      あり溝
１２      固定体
１３      摺動部
１４      移動体
２１      ねじ穴
２１Ａ    ねじ穴
２２      ガイド穴
２３      球体
２４      蓋
２５      ネジ
２５Ａ    ネジ
２６      ネジ先端
２７      一部側面
２８      一部側面
２９      一部側面
３１      底面
３２      底面。
【図１】
2008173691.tif 000003
【図２】
2008173691.tif 000004
【図３】
2008173691.tif 000005
【図４】
2008173691.tif 000006
【図５】
2008173691.tif 000007
【図６】
2008173691.tif 000008
【図７】
2008173691.tif 000009
【図８】
2008173691.tif 000010
【図９】
2008173691.tif 000011